(57)【要約】【課題】  発光素子を備える送信機の照射範囲若しくは受光素子を備える受信機の受光範囲を調整する発光装置若しくは受光装置の指向性調整装置であって、汎用性が高く、取付け／取外しが容易且つ反復使用可能、製造が容易且つ安価である指向性調整装置の提供。【解決手段】  負圧室１１を備え、登頂部３３を凸レンズ状に膨出させた、無色透明の樹脂により一体成形される吸盤によって指向性調整装置３０を構成することにより、リモコン装置２０の発光素子２３から発せられる光信号の照射範囲を収束可能とし、登頂部３３の凸レンズ状部分の曲率を適宜調節した指向性調整装置を数種類用意することで、リモコン装置２０の指向性を適宜交換調整可能とする。【選択図】  図４
2006042055.tif 000002
【特許請求の範囲】
【請求項１】
発光装置の発光部若しくは受光装置の受光部に取付けて前記発光部若しくは前記受光部の指向性を調整する指向性調整装置であって、当該指向性調整装置が、前記発光装置若しくは前記受光装置と対向する面を開口した負圧室が弾性素材により形成された吸盤であり、且つ、透光性を有する光信号透過窓を除き、当該吸盤の負圧室側から外部側若しくは外部側から負圧室側へと光が透過しないように不透光処理された吸盤によって構成されたことを特徴とする発光装置若しくは受光装置の指向性調整装置。
【請求項２】
発光装置の発光部若しくは受光装置の受光部に取付けて前記発光部若しくは前記受光部の指向性を調整する指向性調整装置であって、当該指向性調整装置が、前記発光装置若しくは前記受光装置と対向する面を開口した負圧室が弾性素材により形成された吸盤であり、且つ、当該吸盤の一部を凸レンズ状若しくは凹レンズ状に膨出させた吸盤によって構成されたことを特徴とする発光装置若しくは受光装置の指向性調整装置。
【請求項３】
発光装置の発光部若しくは受光装置の受光部に取付けて前記発光部若しくは前記受光部の指向性を調整する指向性調整装置であって、当該指向性調整装置が、一面側に複数の吸盤が形成された吸盤付シートであり、且つ、透光性を有する光信号透過窓を除き、光が透過しないように不透光処理された吸盤付シートによって構成されたことを特徴とする発光装置若しくは受光装置の指向性調整装置。
【請求項４】
発光装置の発光部若しくは受光装置の受光部に取付けて前記発光部若しくは前記受光部の指向性を調整する指向性調整装置であって、当該指向性調整装置が、一面側に複数の吸盤が形成された吸盤付シートであり、且つ、当該吸盤付シートの一部を凸レンズ状若しくは凹レンズ状に膨出させた吸盤付シートによって構成されたことを特徴とする発光装置若しくは受光装置の指向性調整装置。
【請求項５】
前記光信号透過窓を円筒状に膨出させ、当該円筒の側面部を不透光処理したことを特徴とする請求項１又は請求項３に記載の発光装置若しくは受光装置の指向性調整装置。
【発明の詳細な説明】
【技術分野】
【０００１】
本発明は、発光素子を備える送信機の照射範囲若しくは受光素子を備える受信機の受光範囲を調整する発光装置若しくは受光装置の指向性調整装置に関する。
【背景技術】
【０００２】
電気機器などの装置を遠隔操作する方法として、装置本体に光信号を受信するフォトダイオードを設け、光信号を発する発光ダイオードを備えるリモコン装置によって装置を遠隔操作するものが従来より用いられている。
【０００３】
このような光信号の送受信装置においては、送信機の照射範囲及び受光素子を備える受信機の受光範囲が、製品としては一定であるのが通常であり、従って、ユーザの使用環境によっては誤動作を生じる場合や操作が煩雑となる場合があった（リモコンによる遠隔操作時に隣接する他の装置に影響が出るなど）。
【０００４】
このような問題を解決するための従来技術が、特許文献１〜特許文献７などによって開示されている。
【０００５】
【特許文献１】特開平５−１４５４９０号公報
【特許文献２】実開平６−５２３８号公報
【特許文献３】特開平７−７４９７９号公報
【特許文献４】特開平８−１１１８９３号公報
【特許文献５】特開平８−１６８０８３号公報
【特許文献６】特開平９−２２３８２２号公報
【特許文献７】特開２００２−４４７６６号公報
【発明の開示】
【発明が解決しようとする課題】
【０００６】
上記した従来技術は、送信機若しくは受信機自体に光信号の指向性を調整・変更させる機構を備えさせるものと、送信機若しくは受信機になんらかの指向性調整装置を取り付けるものとに大別される。前者の場合、装置自体に指向性を調整・変更させる機構を形成するため、構造が複雑になりがちであると共に装置自体のコストアップに直結するものとなる。リモコンの指向性を調整・変更させる機能を必要とする環境（ユーザ）は、そうでないユーザに比べて小数であるため、このような機能を送信機若しくは受信機自体に設けてコスト高となる前者の方法は採用しにくいものであった。
【０００７】
一方、後者のものは、送信機若しくは受信機とは別体にて指向性調整装置が形成されるため、リモコンの指向性を調整・変更させる機能を必要とするユーザにのみ本機能を提供することができる。しかし、上記した従来技術によれば、送信機若しくは受信機への指向性調整装置の取り付け方法が「嵌め込み」若しくは「シールなどによる張付け」しかなく、「嵌め込み」の場合には、各種送信機若しくは受信機の外形が一定でないため、汎用性が低いという問題があり、「シールなどによる張付け」の場合には、粘着剤が装置に糊残りする（取外し作業が煩雑）問題や反復使用性が低い（粘着力が低下する）という問題があった。
【０００８】
本発明は、上述した点に鑑み、発光素子を備える送信機の照射範囲若しくは受光素子を備える受信機の受光範囲を調整する発光装置若しくは受光装置の指向性調整装置であって、汎用性が高く、取付け／取外しが容易且つ反復使用可能、製造が容易且つ安価である指向性調整装置を提供することを目的とする。
【課題を解決するための手段】
【０００９】
請求項１の発光装置若しくは受光装置の指向性調整装置は、発光装置の発光部若しくは受光装置の受光部に取付けて前記発光部若しくは前記受光部の指向性を調整する指向性調整装置であって、当該指向性調整装置が、前記発光装置若しくは前記受光装置と対向する面を開口した負圧室が弾性素材により形成された吸盤であり、且つ、透光性を有する光信号透過窓を除き、当該吸盤の負圧室側から外部側若しくは外部側から負圧室側へと光が透過しないように不透光処理された吸盤によって構成されたことを特徴とする。
【００１０】
上記構成の指向性調整装置を、発光装置の発光部若しくは受光装置の受光部に取付けることにより、発光部から発せられる光若しくは受光部へ到達する光が、当該指向性調整装置に設けられた光信号透過窓を通過するものに限られる。
【００１１】
請求項２の発光装置若しくは受光装置の指向性調整装置は、発光装置の発光部若しくは受光装置の受光部に取付けて前記発光部若しくは前記受光部の指向性を調整する指向性調整装置であって、当該指向性調整装置が、前記発光装置若しくは前記受光装置と対向する面を開口した負圧室が弾性素材により形成された吸盤であり、且つ、当該吸盤の一部を凸レンズ状若しくは凹レンズ状に膨出させた吸盤によって構成されたことを特徴とする。
【００１２】
上記構成の指向性調整装置を、発光装置の発光部若しくは受光装置の受光部に取付けることにより、発光部から発せられる光若しくは受光部へ到達する光が、当該指向性調整装置の凸レンズ状部分若しくは凹レンズ状部分を通過することにより収束若しくは発散される。
【００１３】
請求項３の発光装置若しくは受光装置の指向性調整装置は、発光装置の発光部若しくは受光装置の受光部に取付けて前記発光部若しくは前記受光部の指向性を調整する指向性調整装置であって、当該指向性調整装置が、一面側に複数の吸盤が形成された吸盤付シートであり、且つ、透光性を有する光信号透過窓を除き、光が透過しないように不透光処理された吸盤付シートによって構成されたことを特徴とする。
【００１４】
上記構成によれば、指向性調整装置の一面側に複数の吸盤が形成されるため、発光装置若しくは受光装置の外形形状が不均一であっても取付け性に優れる。
【００１５】
請求項４の発光装置若しくは受光装置の指向性調整装置は、発光装置の発光部若しくは受光装置の受光部に取付けて前記発光部若しくは前記受光部の指向性を調整する指向性調整装置であって、当該指向性調整装置が、一面側に複数の吸盤が形成された吸盤付シートであり、且つ、当該吸盤付シートの一部を凸レンズ状若しくは凹レンズ状に膨出させた吸盤付シートによって構成されたことを特徴とする。
【００１６】
請求項５の発光装置若しくは受光装置の指向性調整装置は、請求項１又は請求項３に記載の発光装置若しくは受光装置の指向性調整装置であって、前記光信号透過窓を円筒状に膨出させ、当該円筒の側面部を不透光処理したことを特徴とする。
【発明の効果】
【００１７】
本発明の請求項１の、発光装置の発光部若しくは受光装置の受光部に取付けて前記発光部若しくは前記受光部の指向性を調整する指向性調整装置であって、当該指向性調整装置が、前記発光装置若しくは前記受光装置と対向する面を開口した負圧室が弾性素材により形成された吸盤であり、且つ、透光性を有する光信号透過窓を除き、当該吸盤の負圧室側から外部側若しくは外部側から負圧室側へと光が透過しないように不透光処理された吸盤によって構成されたことを特徴とする発光装置若しくは受光装置の指向性調整装置によれば、発光部から発せられる光若しくは受光部へ到達する光が、当該指向性調整装置に設けられた光信号透過窓を通過するものに限られるため、光信号透過窓の大きさを調整することにより、発光装置若しくは受光装置の指向性を調整することができる。当該指向性調整装置は、「吸盤」の一部を透明としてその他の部分を有色に塗装（不透光処理）することによって形成することができるため、製造が容易且つ安価であり、且つ、「吸盤」であるためリモコンなどの装置を汚損（粘着剤が装置に糊残りする等）することがなく、さらに、付け外しが自由で反復使用することが可能となる。
【００１８】
本発明の請求項２の、発光装置の発光部若しくは受光装置の受光部に取付けて前記発光部若しくは前記受光部の指向性を調整する指向性調整装置であって、当該指向性調整装置が、前記発光装置若しくは前記受光装置と対向する面を開口した負圧室が弾性素材により形成された吸盤であり、且つ、当該吸盤の一部を凸レンズ状若しくは凹レンズ状に膨出させた吸盤によって構成されたことを特徴とする発光装置若しくは受光装置の指向性調整装置によれば、発光部から発せられる光若しくは受光部へ到達する光が、当該指向性調整装置の凸レンズ状部分若しくは凹レンズ状部分を通過することにより収束若しくは発散されるため、レンズ部分の曲率を調整することにより、発光装置若しくは受光装置の指向性を調整することができる。当該指向性調整装置である「吸盤」は、無色透明の樹脂により一体成形することができ、製造がきわめて容易且つ安価となる。
【００１９】
本発明の請求項３の、発光装置の発光部若しくは受光装置の受光部に取付けて前記発光部若しくは前記受光部の指向性を調整する指向性調整装置であって、当該指向性調整装置が、一面側に複数の吸盤が形成された吸盤付シートであり、且つ、透光性を有する光信号透過窓を除き、光が透過しないように不透光処理された吸盤付シートによって構成されたことを特徴とする発光装置若しくは受光装置の指向性調整装置によれば、指向性調整装置の一面側に複数の吸盤が形成されるため、発光装置若しくは受光装置の外形形状が不均一であっても取付け性に優れる。すなわち、例えば発光装置であるリモコン装置の発光部近辺の形状は一定でなく、メーカ・機種ごとに異なっているものであるため、取り付けのための「吸盤」を１個のみとした場合には、リモコン装置等の外形形状の不均一さ故に、リモコン装置等と「吸盤」との密着性が得られない（くっつかない）場合があるが、指向性調整装置を、複数の吸盤が形成された吸盤付シートによって構成することで、幾つかの吸盤が密着性を得られなくとも、複数の吸盤のうち何れかの吸盤が吸着力を発揮することで指向性調整装置を発光装置若しくは受光装置に取り付けることができるのである。また、「シート」であることにより、リモコン装置等の外形形状に沿わせて折り曲げあるいは余剰部分の切除等をすることができるため、より取付け性に優れる。
【発明を実施するための最良の形態】
【００２０】
以下、本発明の具体的実施例について、図面を参照しながら説明する。なお、以下の実施態様は、本発明を具体化する際の一形態であって、本発明をその範囲内に限定するためのものではない。
【実施例１】
【００２１】
図１は本実施例の指向性調整装置の概略を示す図であり、ａ：斜視図、ｂ：図ｃのＡ−Ａ線に沿った断面図、ｃ：上面図、ｄ：側面図である。図に示されるように、指向性調整装置１０は、発光装置若しくは受光装置と対向する面を開口した負圧室１１を備える吸盤であり、当該吸盤は無色透明の樹脂により一体成形される。さらに、側面部１２及び登頂部１３の負圧室１１側と反対側の面（以下、単に外面側）の、光信号透過窓１５を除いた部分（断面図ｂにおける太線部分）が、黒色に着色（不透光処理）されることによって指向性調整装置１０は形成される。
【００２２】
図２は発光装置であるリモコン装置の発光部に指向性調整装置１０を取り付けた状態を示す概略図であり、図２ａは概略斜視図、図２ｂは発行部の発光素子の指向性の変化を説明するための概念図である。図２ｂに示されるように、リモコン装置２０の発光素子２３がある部分に、指向性調整装置１０の負圧室１１の開口部分を密着させて登頂部１３を押圧することで、弾性を有する側面部１２の復元力により負圧室１１内の気圧は外気圧より低くなり、リモコン装置２０に吸着する。図中の一点鎖線で示した範囲２１は、リモコン装置２０の発光素子２３から発せられる光信号の照射範囲であり、実線で示した範囲２２は指向性調整装置１０を取り付けた場合の発光素子２３から発せられる光信号の照射範囲である。図に示されるように、指向性調整装置１０を取り付けた状態においては、発光素子２３から発せられる光信号は光信号透過窓１５を通過するもののみが外部に出射される。従って、光信号透過窓１５の大きさを適宜調節した指向性調整装置を数種類用意することにより、リモコン装置２０の指向性を適宜調整させることができるのである。
【００２３】
なお、本実施例では、指向性調整装置１０の材料を無色透明の樹脂としたが、本発明をこれに限定するものではなく、発光素子２３から発せられる光の波長に対し透明な性質を有し、且つ、弾性力を有する素材であればよく、同様に、側面部１２及び登頂部１３の外面側の、光信号透過窓１５を除いた部分を、黒色に着色するものとしているが、本発明をこれに限るものではなく、発光素子２３から発せられる光の波長に対し、これを遮断できるものであればよい。また、図では、光信号透過窓１５が登頂部１３内に形成されるものとなっているが、光信号透過窓１５が側面部１２に及ぶものであっても良い。
【実施例２】
【００２４】
図３は本実施例の指向性調整装置の概略を示す図であり、ａ：斜視図、ｂ：図ｃのＢ−Ｂ線に沿った断面図、ｃ：上面図、ｄ：側面図である。図４はリモコン装置の発行部の指向性の変化を説明するための概念図である。なお、実施例１と同様の概念となるものには実施例１と同一の符号を使用し、ここでの説明を省略する。
【００２５】
図３に示されるように、指向性調整装置３０は、発光装置若しくは受光装置と対向する面を開口した負圧室１１を備え、登頂部３３を凸レンズ状に膨出させた吸盤であり、当該吸盤は無色透明の樹脂により一体成形される。図４中の一点鎖線で示した範囲２１は、リモコン装置２０の発光素子２３から発せられる光信号の照射範囲であり、実線で示した範囲４２は指向性調整装置３０を取り付けた場合の発光素子２３から発せられる光信号の照射範囲である。図に示されるように、指向性調整装置３０を取り付けた状態においては、発光素子２３から発せられる光信号は、登頂部３３の凸レンズ状部分によって収束されて外部に出射される。従って、登頂部３３の凸レンズ状部分の曲率を適宜調節した指向性調整装置を数種類用意することにより、リモコン装置２０の指向性を適宜調整させることができるのである。なお、図５には登頂部３３を凹レンズ状に膨出させた指向性調整装置５０を示した。指向性調整装置５０によれば、リモコン装置２０の指向性を弱めることができる。
【００２６】
本実施例の指向性調整装置によれば、当該指向性調整装置を樹脂により一体成形するのみで、その後の塗装などの工程を要しないため製造がきわめて容易且つ安価となる。なお、本実施例においては、登頂部３３の外面側を膨出させることでレンズ状部分を形成したが、本発明をこれに限るものではなく、内面側に膨出させることでレンズ状部分を形成してもよいし、内面側及び外面側の双方に膨出させてもよい。
【実施例３】
【００２７】
図６は本実施例の指向性調整装置の概略を示す図であり、ａ：斜視図、ｂ：図ｃのＤ−Ｄ線に沿った断面図、ｃ：上面図、ｄ：側面図である。図７はリモコン装置の発行部の指向性の変化を説明するための概念図である。なお、実施例１と同様の概念となるものには実施例１と同一の符号を使用し、ここでの説明を省略する。
【００２８】
図６に示されるように、指向性調整装置６０は、発光装置若しくは受光装置と対向する面を開口した負圧室１１を備え、登頂部を円筒状に膨出させた吸盤であり、当該吸盤は無色透明の樹脂により一体成形される。さらに、側面部１２の外面側及び円筒部６４側面（断面図ｂにおける太線部分）が、黒色に着色（不透光処理）されることによって指向性調整装置６０は形成される。図７中の実線で示した範囲７２は指向性調整装置６０を取り付けた場合の発光素子２３から発せられる光信号の照射範囲である。図７に示されるように、指向性調整装置６０を取り付けた状態においては、発光素子２３から発せられる光信号は、光信号透過窓６５（円筒部６４の上面）を通過するもののみが外部に出射される。従って、円筒部６４の直径若しくは高さを適宜調節した指向性調整装置を数種類用意することにより、リモコン装置２０の指向性を適宜調整させることができるのである。
【実施例４】
【００２９】
図８は本実施例の指向性調整装置の概略を示す図であり、ａ：上面図、ｂ：底面図、ｃ：側面図、ｄ：図ａのＥ−Ｅ線に沿った断面図である。図に示されるように、指向性調整装置８０は、一面側（以下、下面側）に複数の吸盤を備える吸盤シートによって構成され、当該吸盤シートは黒色の樹脂により成形（不透光処理）される。指向性調整装置８０の長手方向の長さは２４ｍｍ、短手方向の長さは９ｍｍで形成され、直径１．５ｍｍの吸盤が、隣り合う吸盤の間隔が１ｍｍとなるように配置される。このような外形寸法としたのは、図９に示されるように、各メーカの代表的リモコン装置の外形寸法を実測し、これらに適用できるように考慮したものである。又、図に示されるように、指向性調整装置８０の中心部分となる場所に直径１．０ｍｍの穴が空けられることで光信号透過窓８５が形成される。本実施例で光信号透過窓８５の直径を１．０ｍｍとしているのは、実験結果に基づき、リモコン装置と受光面との角度が４５度である場合に、光信号の到達距離が１．５ｍ以下となるような指向性調整装置８０を提供するためである。なお、当該実験は、リモコン装置に、光信号透過窓８５の直径を変えた指向性調整装置８０を取り付けた状態（図１０の状態）と取り付けない状態とで、図１５ａに示されるように、リモコン装置から発せられる４５度の方向の光信号と正面の光信号とを受光素子１５０が受信できた距離ｘとｙとを測定することで行った。当該実験の結果を図１５ｂに示す。実験結果から明らかなように、光信号透過窓８５の直径を変えることにより、リモコン装置の指向性を調節することができ、ユーザが必要とする指向性を得ることができるような指向性調整装置を提供することができる。
【００３０】
図８に示されるように、光信号透過窓８５の周辺部分には吸盤が形成されない。図９に示されるように、発光素子２３が露出して設けられるタイプの場合には、発光素子２３の破損を防止するために凹部を形成し当該凹部９５内に発光素子２３を配置するのが一般的であり、指向性調整装置８０をリモコン装置に取付けた場合に凹部９５にかかる部分に吸盤を形成しても、当該吸盤は吸着力を発生しないため、光信号透過窓８５の周辺部分には吸盤を形成しないこととしたものである。また、リモコン装置の筐体の接合部分は溝部となることが多く、当該接合部分は図９に示されるように、リモコン装置の厚さの略２分の１となる部分に形成されるのが一般的であるため、当該部分に吸盤が配置されないよう（上記と同様に吸着力を発生しないため）に、指向性調整装置８０を短手方向に二等分する線Ｌ上には吸盤を形成していない。
【００３１】
図１０はリモコン装置９２の発光部に指向性調整装置８０を取り付けた状態を示す概略斜視図である。図から理解できるように、本実施例の指向性調整装置８０によれば、リモコン装置の外形形状に多少の凹凸があり、複数の吸盤のうちのいくつかの吸盤が吸着力を発揮できなくても、残りの吸盤が吸着力を発揮するため、汎用性が高く（リモコン装置の外形形状の相違に影響されにくい）、リモコン装置への取り付け性に優れる。なお、指向性調整装置８０のリモコン装置９２の指向性の調整機能については実施例１と同様の概念であるため、ここでの説明を省略する。
【実施例５】
【００３２】
図１１は本実施例の指向性調整装置の概略を示す図であり、ａ：上面図、ｂ：底面図、ｃ：側面図、ｄ：図ａのＦ−Ｆ線に沿った断面図である。図に示されるように、指向性調整装置１１０は、下面側に複数の吸盤を備え、無色透明の樹脂により成形される吸盤シート１１１と、当該吸盤シート１１１の上面に張付けられる黒色の粘着シート（ビニールテープ）１１２とによって構成され、当該黒色の粘着シート１１２の指向性調整装置１１０の中心部分となる場所に穴が空けられることで光信号透過窓１１５が形成される。
【００３３】
図１２はリモコン装置１２０の発光部に指向性調整装置１１０を取り付けた状態を示す概略斜視図である。図から理解できるように、本実施例の指向性調整装置１１０によれば、薄型のリモコン装置１２０に対しても適用することができ、また、指向性調整装置１１０の長手方向の長さが余った場合には、リモコン装置１２０の両側面部にまで指向性調整装置１１０を吸着させることができ、より確実にリモコン装置への取り付けをすることができる（余剰部分を切除して使用してもよい）。なお、本実施例では、黒色の粘着シート１１２を吸盤シート１１１の上面全体に張付ける（不透光処理）こととしたが、発光素子２３の発する光を覆うに必要かつ十分な範囲のみに黒色の粘着シート１１２を張付けることとしても良い。
【００３４】
図１３には、吸盤シートの光信号透過窓をレンズ状（図ａ１・ａ２）若しくは円筒状（図ｂ１・ｂ２）に膨出させた指向性調整装置を示した。当該指向性調整装置の作用・効果は上述してきた実施例と同様の概念であるためここでの説明を省略する。
【００３５】
以上、実施例中では、指向性調整装置を適用する対象としてリモコン装置を用いて説明してきたが、図１４に示すように、フォトダイオードなどの受信素子を備える受信装置（本体１４０）側にも本発明の指向性調整装置を適用することができ（図では吸盤シートタイプであるが、当然に吸盤単体タイプも利用できる。）、これにより受信部１４１の指向性の調整をすることも可能となる。
【図面の簡単な説明】
【００３６】
【図１】実施例１の指向性調整装置の概略を示す図であり、ａ：斜視図、ｂ：図ｃのＡ−Ａ線に沿った断面図、ｃ：上面図、ｄ：側面図
【図２】リモコン装置に指向性調整装置を取付けた状態を示す概略図であり、ａ：概略斜視図、ｂ：発光素子の指向性の変化を説明するための概念図
【図３】実施例２の指向性調整装置の概略を示す図であり、ａ：斜視図、ｂ：図ｃのＢ−Ｂ線に沿った断面図、ｃ：上面図、ｄ：側面図
【図４】リモコン装置の発行部の指向性の変化を説明するための概念図
【図５】指向性調整装置の概略を示す図であり、ａ：斜視図、ｂ：図ｃのＣ−Ｃ線に沿った断面図、ｃ：上面図、ｄ：側面図
【図６】実施例３の指向性調整装置の概略を示す図であり、ａ：斜視図、ｂ：図ｃのＤ−Ｄ線に沿った断面図、ｃ：上面図、ｄ：側面図
【図７】リモコン装置の発行部の指向性の変化を説明するための概念図
【図８】実施例４の指向性調整装置の概略を示す図であり、ａ：上面図、ｂ：底面図、ｃ：側面図、ｄ：図ａのＥ−Ｅ線に沿った断面図
【図９】各種リモコン装置の外形寸法の一部を示す概略図
【図１０】リモコン装置に指向性調整装置を取り付けた状態を示す概略斜視図
【図１１】実施例５の指向性調整装置の概略を示す図であり、ａ：上面図、ｂ：底面図、ｃ：側面図、ｄ：図ａのＦ−Ｆ線に沿った断面図
【図１２】リモコン装置に指向性調整装置を取り付けた状態を示す概略斜視図
【図１３】別の指向性調整装置を示す概略図
【図１４】装置本体の受光部に指向性調整装置を取り付けた状態を示す概略斜視図
【図１５】指向性調整装置による指向性変化の実験を示す概略図であり、ａ：実験概略図、ｂ：実験結果を示す表
【符号の説明】
【００３７】
１０・３０・５０・６０・８０・１１０  指向性調整装置
１１      負圧室
１５・６５・８５・１１５  光信号透過窓
２３      発光素子
３３・５３  レンズ状膨出部分
６４      円筒状膨出部分
１１１    吸盤付シート
１１２    粘着シート
１４１    受光部
【図１】
2006042055.tif 000003
【図２】
2006042055.tif 000004
【図３】
2006042055.tif 000005
【図４】
2006042055.tif 000006
【図５】
2006042055.tif 000007
【図６】
2006042055.tif 000008
【図７】
2006042055.tif 000009
【図８】
2006042055.tif 000010
【図９】
2006042055.tif 000011
【図１０】
2006042055.tif 000012
【図１１】
2006042055.tif 000013
【図１２】
2006042055.tif 000014
【図１３】
2006042055.tif 000015
【図１４】
2006042055.tif 000016
【図１５】
2006042055.tif 000017